(57)【特許請求の範囲】
【請求項１】
ケーシング穴内に弁座を収容する弁ケーシング（１４）と、弁座に当てることができ、弁座に接続された圧力媒体通路を互いに接続または分離することができる弁閉鎖部材と、弁座ケーシングの壁に軸方向に移動可能に支持された弁閉鎖部材を収容するためのガイド内の穴とを備えた、特にスリップコントロール式自動車用ブレーキ装置のための圧力制御弁において、
弁閉鎖部材（１）とガイド（６）の間で円錐状のテーパ部（３）が穴（２）の方向に延び、
ガイド（６）と弁閉鎖部材（１）の間の遊びのない接合部分が円錐状のテーパ部（３）に接続し、
遊びのない接合部分が周方向に延びる半径方向のくびれ部（５）を備え、このくびれ部がプレス嵌め時に押しのけられる材料を収容し、
円筒状の押しのけ体（７）がくびれ部（５）に接続し、この押しのけ体の直径がガイド（６）内の穴径よりも大きく、
つば（８）が押しのけ体（７）に接続し、収容穴（２７）寄りのつばの第１の当接肩部（９）がガイド（６）の外側輪郭に接触し、
プレス嵌め工具を収容するために、第１の当接肩部（９）と反対の側に第２の当接肩部（３０）が設けられ、この第２の当接肩部が弁座（１２）に当てることができる閉鎖片（１３）を収容していることを特徴とする圧力制御弁。
【請求項２】
ガイド（６）が弁ケーシング（１４）に取付けられた弁コイル（１５）によって電磁的に操作可能であることを特徴とする請求項１記載の圧力制御弁。
【請求項３】
弁ケーシング（１４）が弁座（１２）と反対の側で、プレス嵌めされた閉鎖栓（１６）によって閉鎖されていることを特徴とする請求項１または２記載の圧力制御弁。
【請求項４】
閉鎖栓（１６）がガイド（６）のためのストロークを調節するために弁ケーシング（１４）内で軸方向に摺動可能であり、かつ磁気コアの機能を受け持つことを特徴とする請求項３記載の圧力制御弁。
【請求項５】
閉鎖栓（１６）と弁コイル（１５）の間に環状室（１７）が設けられていることを特徴とする請求項４記載の圧力制御弁。
【請求項６】
弁コイル（１５）がヨークリング（１８）に嵌め込まれ、このヨークリングの一端が弁ケーシング（１４）に位置決めされた磁気端板（１９）に接触し、他端が環状室（１７）によって閉鎖栓（１６）から分離されていることを特徴とする請求項５記載の圧力制御弁。
【請求項７】
弁コイル（１５）を固定するシール材料が環状室（１７）内で延びていることを特徴とする請求項１〜６のいずれか一つに記載の圧力制御弁。
【請求項８】
弁コイル（１５）と弁ケーシング（１４）との間に、種々の寸法の圧力制御弁を電磁的に操作するための同一に採寸された弁コイルを広範に使用するための環状室（１７）を設けたことを特徴とする請求項２に記載の圧力制御弁。
【請求項９】
弁コイル（１５）が独立して取扱い可能な電気的な半組立品として、種々の大きさの弁ケーシング（１４）に装着可能であることを特徴とする請求項８記載の圧力制御弁。
【発明の詳細な説明】
【０００１】
本発明は、請求項１の上位概念に記載した、特にスリップコントロール式自動車用ブレーキ装置のための圧力制御弁に関する。
【０００２】
米国特許第５，４６０，４３７号明細書により、既に基本位置で閉じる圧力制御弁が知られている。この圧力制御弁は弁ケーシングを備え、この弁ケーシングのケーシング穴内に弁座が収容され、この弁座には弁閉鎖部材が接触している。弁閉鎖部材は別個の部品として、電磁操作可能なガイドに挿入されている。このガイドは弁ケーシングの壁に沿って軸方向に移動可能に支持されている。
【０００３】
このような弁を製作する場合、弁座を確実に開閉するためにガイド内への弁閉鎖部材の所定の圧入嵌め深さを保証するための特別な調節手段が必要である。ガイド内での弁閉鎖部材の固定は、できるだけ正確なプレス嵌めに基づいている。それによって、両プレス嵌め部分の不所望な弛みまたは変形が防止される。弁コイルの組立は厳密な嵌め合い許容誤差のために困難である。ヨークリングを弁ケーシングに一体化することによって、弁コイルは広範（普遍的（universell））に使用不可能である。
【０００４】
そこで、本発明の課題は、上記の欠点のない、冒頭に述べた種類の圧力制御弁を提供することである。
【０００５】
本発明の他の特徴、効果および実施形は、複数の図に基づく実施の形態の次の説明から明らかになる。
【０００６】
図１は、基本位置で閉じる圧力制御弁全体の拡大図である。この圧力制御弁は特にスリップコントロール式自動車ブレーキ装置のために使用される。圧力制御弁の弁ケーシング１４は本実施の形態ではカートリッジ構造であり、好ましくは鋼製の硬質の弁ケーシング材料を自己かしめすることによって比較的に軟らかい弁収容体２０内にプレス嵌めされている。弁ケーシング１４はそのケーシング穴２１内に弁座１２を収容している。ガイド６内に圧入された弁閉鎖部材１は、圧縮ばね２２の作用を受けて弁座に接触している。ガイド６は磁気アーマチュアによって軸方向に移動可能にケーシング穴２１の壁に沿って案内されている。ガイド６の電磁操作のために、弁コイル１５が弁ケーシング１４上に設けられている。この弁コイル１５はそれと弁ケーシング１４の間に配置された磁気端板上でセンタリングされる。弁ケーシング１４のスリーブ状シャフト部分は、弁座１２と反対側で、圧入および溶接された閉鎖栓１６によって閉鎖されている。閉鎖栓１６は本実施の形態では磁気コアの機能を受け持つ。弁コイル１５はヨークリング１８によって取り囲まれている。このヨークリングはその外周面の端部が磁気端板１９に接触し、内周面の他端がコイル支持体２３の段部まで延びている。この場合、コイル支持体２３の範囲内において閉鎖栓１６と弁コイル１５の間には環状室１７が形成されている。この環状室は磁気端板１９からヨークリング１８の開放端部まで延びている。本実施の形態では、弁コイル１５はコイル支持体２３およびヨークリング１８と共に、独立して（単独で）取扱い可能な電気的な半組立品である。この半組立品は、弁収容体２０内の圧力制御弁に装着される前に、半組立品に取付けられた係止フックによって、電気部品およびまたは電子部品を有する図示していないカバー内に固定される。既に述べたように、弁コイル１５は磁気端板１９を介して弁ケーシング１４のスリーブ状シャフト部分上でセンタリングされる。これは環状室１７の方に延び円錐状の段差を有する磁気端板１９の面取り部によって行われる。
【０００７】
弁コイル１５と圧力制御弁の間にある環状室１７の配置により、種々の（いろいろな（unterschiedlicher））寸法の圧力制御弁のために、統一され広範（普遍的）に使用可能な弁コイル１５を使用することができ、所望される場合または必要な場合には、環状室１７によって与えられる自由空間をシール材（充填材）を収容するために使用可能である。このシール材は係止フック２４に補足してあるいはその代わりに、弁コイル１５に付設されたケーシング構造グループに対する弁コイル１５の連結、固定および場合によってはシールを保証する。環状室１７は更に、圧力制御弁に対する弁コイル１５の装着を容易にする。
【０００８】
圧力制御弁の液圧部分では、弁ケーシング１４の段付きスリーブ状輪郭によって、弁収容体２０内で必要な保持力とシール力を発生するための良好な前提が得られるだけでなく、フィルタ要素２５，２６の簡単な配置が達成される。このフィルタ要素は本実施の形態ではプレートフィルタおよびリングフィルタとして形成され、水平方向と垂直方向で弁ケーシング１４に開口する圧力媒体通路１１は弁内側部分の汚染を防止する。本実施の形態では、弁座１２は回転対称の別個の部品として、ケーシング穴２１を閉鎖する閉鎖栓１６の方向から当接するまで圧入およびまたはかしめられている。その代替的な製作方法と固定方法が考えられるがしかし、本発明の重要な特徴とは見なされない。
【０００９】
次に、ガイド６における弁閉鎖部材１のきわめて簡単な遊びのない位置決めについて説明する。弁閉鎖部材１の特別な輪郭は、圧入時に、ガイド内への絶対的に確実なプレス嵌めを生じる。これを良好に示すために、次に図２を参照する。
【００１０】
図２は図１に示した、載置面２８に支持された、弁閉鎖部材１と反対の側のガイド６の端部を拡大して示している。スリーブ状のプレス嵌め工具１０は、弁閉鎖部材１のための同心的に直線的な、すなわち段なしの収容穴２７の方に向いている。弁閉鎖部材１はプレス嵌め工具１０とガイド６の間において、その円錐台状のテーパ部３が収容穴２７に接触している。それによって、圧入が容易になる。円錐状のテーパ部３はシャフト部分４に接続している。このシャフト部分の直径は収容穴２７の範囲における穴２の直径に遊びなしに適合している。シャフト部分４は周方向に延びる半径方向のくびれ部５を備えている。このくびれ部には円筒状の押しのけ体７が直接接続している。この押しのけ体の外径は収容穴２７の範囲の穴径よりも大きくなっている。押しのけ体７には、つば８の形をした段部が接続している。この段部の外径は押しのけ体７の外径よりもはるかに大きい。つば８の第１の当接肩部９と反対側に、プレス嵌め工具１０を収容するための第２の当接肩部１１と、弁座１２に当てることができる弁閉鎖部材１の球状の閉鎖片１３が設けられている。図２はプレス嵌め工程の開始時の上記の部品の配置方向を明示している。プレス嵌め工具１０が閉鎖片１３にかぶせられ、必要に応じてこの閉鎖片によってセンタリングされ、そして第２の当接肩部３０に接触する。それによって、必要な圧入力が弁閉鎖部材１に伝達される。図１に示した弁閉鎖部材１の位置では、傾斜部３が収容穴２７内に達し、円筒状のシャフト部分４が収容穴２７に接触している。従って、摩擦力に打ち勝つ際に、押しのけ体７がガイド６に接触するまで、弁閉鎖部材１はほぼ一定の摩擦力で収容穴２７内に移動する。この中間位置では、収容穴２７の壁によって画成されたくびれ部５が環状室を形成する。押しのけ体７がガイド６内に侵入するや否や、比較的に軟らかいガイド６の材料がこの環状室内まで変形する。押しのけ体７に接続する第１の当接肩部９がガイド６の端面に接触するや否や、弁閉鎖部材１の圧入工程が終了する。くびれ部５の方に変形した磁気アーマチュアを収容するために、必要に応じて、溝状のくびれ部５を図示よりも大きく形成するかまたは付加的なくびれ部５をシャフト部分４に設けることができる。
【００１１】
本発明により、従来必要であった、弁閉鎖部材１の付加的な外部かしめ手段と保持手段を省略することができ、かつ弁閉鎖部材１の圧入深さを監視することができる。圧入工程の終了によって、弁閉鎖部材１のテーパ部３は、それに対して横方向に開口する圧力平衡通路２９の範囲まで達する。この圧力平衡通路は拡張された穴２に開口している。
参照符号リスト
１                        弁閉鎖部材
２                        穴
３                        テーパ部
４                        シャフト部分
５                        くびれ部
６                        ガイド
７                        押しのけ体
８                        つば
９                        当接肩部
１０                      プレス嵌め工具
１１                      圧力媒体通路
１２                      弁座
１３                      弁片
１４                      弁ケーシング
１５                      弁コイル
１６                      閉鎖栓
１７                      環状室
１８                      ヨークリング
１９                      磁気端板
２０                      弁収容体
２１                      ケーシング穴
２２                      圧縮ばね
２３                      コイル支持体
２４                      係止フック
２５，２６                フィルタ要素
２７                      収容穴
２８                      載置面
２９                      圧力平衡通路
３０                      当接肩部
【図面の簡単な説明】
【図１】  電磁操作可能な圧力制御弁の縦断面図である。
【図２】  ガイド内へのプレス嵌め工程時の弁閉鎖部材を示すための、図１の部分図である。
【図１】
0004377054.tif 000002
【図２】
0004377054.tif 000003